(57)【特許請求の範囲】
【請求項１】
先端の一面に端子部を露出形成した端子形成部を有するフレキシブルプリント基板と、表面側に弾性部を有し、裏面側に前記端子形成部を取付け可能なＦＰＣホルダと、取付孔を有するプリント基板と、前記プリント基板の上方に配設され、前記プリント基板の前記取付孔に前記端子部を挿入するためのガイド孔を有するシャーシとを備え、前記シャーシに前記ガイド孔の縁部を切り起こした支持突部を設けて、前記端子形成部を取付けた前記ＦＰＣホルダを前記ガイド孔に挿入して、前記ＦＰＣホルダの前記弾性部を前記支持突部に弾接させ、前記ＦＰＣの前記端子部を前記プリント基板の前記取付孔の縁部に押し付けたことを特徴とするフレキシブルプリント基板の取付構造。
【請求項２】
前記弾性部は、前記ＦＰＣホルダの下端に抜け止め用の係合突起を設けたことを特徴とする請求項１記載のフレキシブルプリント基板の取付構造。
【請求項３】
前記請求項１または２記載のフレキシブルプリント基板の取付構造を用いたことを特徴とする記録再生装置。
【発明の詳細な説明】
【０００１】
【発明の属する技術分野】
本発明は、例えばフロッピディスクやハードディスク等の記録／再生用ディスクを用いた記録再生装置において、磁気ヘッドへの信号を伝達するフレキシブルプリント基板（以下、ＦＰＣという。）の取付構造及びそれを用いた記録再生装置に関する。
【０００２】
【従来の技術】
図１１に示すように、従来のＦＰＣの取付構造を用いた記録再生装置５０は、金属板からなるシャーシ５１の隅部に矩形状の貫通孔５１ａを設けていて、シャーシ５１の下方には、その下面の一部を覆うプリント基板５２が取付けられている。
プリント基板５２は、その隅部に細長の取付孔５２ａを２個有していて、プリント基板５２の下面には、回路パターン５２ｂ（図１２参照）が設けられている。
上記シャーシ５１の上には、図示しない磁気ディスクに情報信号を書き込みまたは読み取るヘッド装置５５が配設されている。このヘッド装置５５は、磁気ディスクを挿入・又は抜出しする方向（図中、矢印Ａ方向）に往復動可能なキャリッジ５６を有し、このキャリッジ５６は、下方に配されたヘッド取付台５６ａと、上方に揺動可能なヘッド支持アーム５７とから構成されている。そして、ヘッド取付台５６ａとヘッド支持アーム５７の先端には、一対の磁気ヘッド５８が互いに対向した状態で取付けられている。
【０００３】
一対の磁気ヘッド５８には、ＦＰＣ６０、６１の一端が接続され、このＦＰＣ６０，６１の他端側が自由端となっている。
このＦＰＣ６０，６１の自由端側には、端子部６０ａ，６１ａが露出形成されている。
ＦＰＣホルダ６２は、断面がコ字状をした樹脂部材からなり、この下端側には、下方に突出した下端部６２ｂ、６２ｃが設けられていて、シャーシ５１の貫通孔５１ａ内に挿通されるようになっている。
【０００４】
そして、一対の磁気ヘッド５８に接続されたＦＰＣ６０，６１は、その自由端側の端子部６０ａ、６１ａをＦＰＣホルダ６２に取付けて、プリント基板５２の取付孔５２ａに嵌着して、回路パターン５２ｂ（図１２参照）に接続するようになっている。
【０００５】
図１２に示すように、２つのＦＰＣ６０，６１を取付けたＦＰＣホルダ６２は、シャーシ５１の貫通孔５１ａから挿入されて、ＦＰＣホルダ６２の下端部６２ｂ、６２ｃがプリント基板５２の取付孔５２ａ内に挿入されている。
そして、ＦＰＣ６０，６１の端子部６０ａ，６１ａと、プリント基板５２の回路パターン５２ｂとが半田６３によって固着され、電気的に導通されている。
【０００６】
このようなＦＰＣ６０，６１の取付構造を用いた記録再生装置５０は、プリント基板５２にＦＰＣ６０，６１を半田付けするときに、ＦＰＣホルダ６２にガタツキが発生したりすると、ＦＰＣ６０，６１の両方、またはいずれか一方の端子部６０ａ，６１ａが、プリント基板５２の回路パターン５２ｂと位置ずれして、ＦＰＣ６０，６１の両方、またはいずれか一方が半田付け不良になるおそれがあった。
【０００７】
このような半田付け不良を解決するための改良例として、出願人が提案したＦＰＣの取付構造を用いた記録再生装置７０を図１３及び図１４に基づいて以下に説明する。
図１３に示すように、プリント基板７２には長孔状をした取付孔７２ａ，７２ａが形成されている。
【０００８】
プリント基板７２の取付孔７２ａ，７２ａの上に配設されたシャーシ５１には、ＦＰＣホルダ８２の数に対応した数のガイド孔５１ａ、５１ｂが、略長孔状に形成され、このガイド孔５１ａ，５１ｂは互いに隣接して形成されている。
上記シャーシ５１には、ガイド孔５１ａ，５１ｂの一部を切り起こし形成した支持突部５１ｃ、５１ｅが設けられていて、これら支持突部５１ｃ、５１ｅは、切り起こす前の延長線が互いに重ならないように、互い違いにずらして形成されている。
【０００９】
上記ＦＰＣ８０，８１は、先端の下方側に銅箔等で形成された複数の端子部８０ａ，８１ａが露出形成されていて、各端子部８０ａ，８１ａの上方側にはＦＰＣ８０，８１の基部８０ｃ、８１ｃ内に延出形成された回路パターンがラミネート状に引き回しされて、ＦＰＣ８０，８１の基部８０ｃ、８１ｃ側の端部が磁気ヘッド５８と接続されている。
【００１０】
端子部８０ａ，８１ａが露出していないＦＰＣ８０，８１の裏面には、両面粘着テープ等が貼着され、この両面粘着テープ等により、ＦＰＣ８０，８１と後述するＦＰＣホルダ８２とが接着されている。
上記ＦＰＣホルダ８２は樹脂材料等で形成され、全体が平板状に形成され、一方の面の中央には、略直方体をした突部８２ａが外方に突設され、この突部８２ａの下方がテーパ面となっている。また、下方には、下端部８２ｂが設けられていて、ＦＰＣ８０、８１の端子部８０ａ，８１ａが取付けられている。
【００１１】
ＦＰＣホルダ８２の下方側には、図１３において左右の側面から第１と第２の腕部８２ｄ、８２ｅが、中央の突部８２ａ方向に延設されている。
ＦＰＣホルダ８２の図中右側面には、弾性変形可能なフック状をした係止部８２ｇが形成されている。
さらに、ＦＰＣホルダ８２の下方隅部には、ＦＰＣ８０，８１の端子８０ａ、８１ａを位置決めするためのガイド部８２ｈ、８２ｊがそれぞれ形成されている。このガイド部８２ｈ、８２ｊにより、端子部８０ａ、８１ａが位置決めされた状態で、ＦＰＣホルダ８２に両面粘着テープで接着されている。
【００１２】
このようなＦＰＣ８０，８１の先端を接着したＦＰＣホルダ８２を、プリント基板７２に取付けるには、ＦＰＣホルダ８２の下端部８２ｂを、シャーシ５１のガイド孔５１ａ，５１ｂに挿入して、支持突起５１ｃ、５１ｅに第１と第２の腕部８２ｄ，８２ｅ間を嵌合するとともに、ＦＰＣホルダ８２の下端部８２ｂと端子部８０ａ，８１ａとが、プリント基板７２の取付孔７２ａに挿入されて位置し、端子部８０ａ，８１ａとプリント基板７２の回路パターンとを位置合わせする。
また、ＦＰＣホルダ８２は、ガイド部８２ｈ、８２ｊがプリント基板７２の表面に当接して、ＦＰＣホルダ８２のガイド孔５１ａ、５１ｂ、及び取付孔７２ａへの挿入が停止する。
このとき、係止部８２ｇ、８２ｇがガイド孔５１ａ、５１ｂにスナップ係合され、係止部８２ｇ、８２ｇの弾性力でＦＰＣホルダ８２がガイド孔５１ａ、５１ｂに抜け止めされて固定される。
【００１３】
ＦＰＣホルダ８２をガイド孔５１ａ、５１ｂにスナップ係合した状態で、プリント基板７２の取付孔７２ａから出っ張った状態のＦＰＣ８０，８１の端子部８０ａ、８１ａとプリント基板７２の回路パターンとを半田６３により接続することにより、端子部８０ａ、８１ａとプリント基板７２の回路パターンとが電気的に導通して、このＦＰＣ８０，８１の取付構造が組み立てられている。
【００１４】
【発明が解決しようとする課題】
ところで、提案されたＦＰＣ８０，８１の取付構造を用いた記録再生装置７０は、組み立てる際に、ＦＰＣホルダ８２とプリント基板７２の取付孔７２ａ内に位置した端子部８０ａ、８１ａとの間に０．１ｍｍ以上の隙間が生じて、この隙間部分に半田６３が入り込んでしまうなどして、半田付けで適切な強度をもって十分に取付け固定できないおそれがあった。
【００１５】
そのために、ＦＰＣ８０，８１の端子部８０a、８１aとプリント基板７２の回路パターンとが電気的に確実に接続できないおそれがあった。
したがって、本発明の目的は、ＦＰＣとプリント基板との間を隙間なくさせて、半田付けが容易に行え、且つ電気的に確実に接続されたＦＰＣの取付構造、及びそれを用いた記録再生装置を提供することにある。
【００１６】
【課題を解決するための手段】
上記課題の少なくとも１つを解決するための第１の解決手段として、先端の一面に端子部を露出形成した端子形成部を有するフレキシブルプリント基板と、表面側に弾性部を有し、裏面側に端子形成部を取付け可能なＦＰＣホルダと、取付孔を有するプリント基板と、プリント基板の上方に配設され、プリント基板の取付孔に端子部を挿入するためのガイド孔を有するシャーシとを備え、シャーシにガイド孔の縁部を切り起こした支持突部を設けて、端子形成部を取付けたＦＰＣホルダをガイド孔に挿入して、ＦＰＣホルダの弾性部を支持突部に弾接させ、ＦＰＣの端子部をプリント基板の取付孔の縁部に押し付けたものである。
【００１７】
さらに、第２の解決手段として、弾性部は、ＦＰＣホルダの下端に抜け止め用の係合突起を設けたものである。
【００１８】
さらに、第３の解決手段として、上記フレキシブルプリント基板の取付構造を用いたものである。
【００１９】
【発明の実施の形態】
以下、本発明のフレキシブルプリント基板（ＦＰＣ）の取付構造、及びそれを用いた記録再生装置１０を図１乃至図１０に基づいて説明する。
図１に示すように、記録再生装置１０は、上方が開放された金属製の枠体１２内に、表面に回路パターン１３ｂ（図１０参照）が形成された矩形状をしたプリント基板１３が裏返しして取り付けられている。
このプリント基板１３の上方には、図２において１点鎖線で示すような記録ディスク１００を装着して回転させるためのターンテーブル１４を回転可能に取り付けた金属製のシャーシ１５が配設されている。
【００２０】
このシャーシ１５の略中央には、上下に対向状態で取り付けられた、一対の磁気ヘッド１６，１７を取り付けた樹脂製のキャリッジ１８が配設されている。このキャリッジ１８を図２中の矢印Ａ方向に往復移動させるためのステッピングモータ１９（図１参照）がシャーシ１５に取り付けられている。
【００２１】
図２に示すように、キャリッジ１８は、下方側にヘッド取付台１８aが配設され、このヘッド取付台１８ａの上方側に、可撓性を有する板ばね２２を介して複数のねじ２３などで取付け固定されたヘッド支持アーム２１が揺動可能に配設されている。
一対の磁気ヘッド１６，１７は、ヘッド取付台１８ａと、ヘッド支持アーム２１の先端寄りのそれぞれの対向面１８ｂ、２１ａに、それぞれ取付板２４を介して取り付けられている。
このようなキャリッジ１８は、ガイド軸２５に支持されて矢印Ａ方向に往復移動可能となっている。
【００２２】
次に、図４乃至図９に示すように、上記ＦＰＣホルダ２８は、平板状をした樹脂材等で形成され、その表面及び裏面の中央下端側には、略コ字状に切り欠いた切欠部２８ｂが形成され、その切欠部２８ｂに囲まれるように可撓性を有する略矩形状をした弾性部２８ａが、その先端を自由端として設けられている。
この弾性部２８ａの自由端側には、凸状をした係止部２８ｃがその表面から外方に僅かに突出して設けられている。また、ＦＰＣホルダ２８の下端には、図４及び図６において左右の側面から第１と第２の腕部２８ｄ、２８ｅが、中央の弾性部２８ａ方向に折り曲げるようにして延設されている。
さらに、ＦＰＣホルダ２８の裏面の下方隅部には、図７に示すように、直方体状のガイド部２８ｈ、２８ｊがそれぞれ突出して形成されている。また、裏面の略中央には、円柱状をした係合突部２８ｋが突出形成されている。
さらに、ＦＰＣホルダ２８の下方端には、先端の板厚を薄くした下端部２８ｆが設けられている。
【００２３】
次に、ＦＰＣ２６，２７は、図３に示すように、可撓性のあるプラスチックフィルム等から形成されていて、図示しない回路パターンがこのフィルムにラミネート加工等によってその表面が絶縁されて形成されている。
このＦＰＣ２６，２７の先端側表面には、銅箔等で形成された矩形状の複数のラウンドからなる端子部２６ａ，２７ａを露出させた端子形成部２６ｂ、２７ｂが設けられ、この端子部２６ａ、２７ａの上方側端部は各々ラウンドに接続された上記回路パターンと接続されている。
そして、ＦＰＣ２６，２７の一端側が一対の磁気ヘッド１６，１７に接続され、ＦＰＣ２６，２７の他端側は、ＦＰＣホルダ２８，２８の裏面側のガイド部２８ｈ、２８ｊにガイドされて取り付けられていて、ＦＰＣホルダ２８，２８の係合突部２８ｋ、２８ｋがＦＰＣ２６，２７を貫通して保持するようになっている。
【００２４】
上記プリント基板１３には、長孔状をした取付孔１３ａ、１３ａが形成されていて、この取付孔１３ａ、１３ａに、ＦＰＣ２６，２７の端子部２６ａ、２７ａとＦＰＣホルダ２８の下端部２８ｆとが貼合わされて挿入されるようになっている。
プリント基板１３上に配設された上記シャーシ１５には、プリント基板１３の取付孔１３ａと重なる位置に、ＦＰＣホルダ２８，２８の数に対応した数の矩形状のガイド孔１５ａ、１５ｂが互いに隣接して形成されている。
さらに、シャーシ１５には、ガイド孔１５ａ、１５ｂに面した縁部の一部を切り起こし形成した支持突部１５ｃ、１５ｅが設けられている。
【００２５】
次に、記録再生装置１０に用いられる、ＦＰＣ２６、及びＦＰＣホルダ２８の取付けについて、図１０に基づいて説明する。
なお、ＦＰＣ２７については、ＦＰＣ２６と同じ構成であり、その取付けが同じであるので説明を省略する。
図１０に示すように、ＦＰＣ２６の端子形成部２６ｂは、端子部２６ａが露出していない面（裏面）に図示しない両面粘着テープ等を貼着して、この両面粘着テープ等により、端子形成部２６ｂがＦＰＣホルダ２８のガイド部２８ｈ、２８ｊ間の面に接着される。
このとき、ＦＰＣホルダ２８の係合突起２８ｋとＦＰＣ２６の図示しない孔内とが嵌合して、上記ガイド部２８ｈ、２８ｊとともに、ＦＰＣホルダ２８にＦＰＣ２６が正確に位置決めされ、端子部２６ａ，２７ａの下方側端部とＦＰＣホルダ２８の下端部２８ｆとが面一となっている。
【００２６】
次に、このようにＦＰＣ２６を装着したＦＰＣホルダ２８をプリント基板１３に取付けるには、ＦＰＣホルダ２８の下端部２８ｆをシャーシ１５のガイド孔１５ｂに挿入して、支持突起１５ｃをＦＰＣホルダ２８の腕部２８ｄ、２８ｅ内に嵌合させるとともに、ＦＰＣホルダ２８の弾性部２８ａを支持突起１５ｃに摺接させながら、ＦＰＣホルダ２８の下端部２８ｆとＦＰＣ２６の端子部２６ａとを、プリント基板１３の取付孔１３ａに挿入して行われる。
【００２７】
そして、ＦＰＣホルダ２８は、ガイド部２８ｈ、２８ｊの下端がプリント基板１３の表面に当接して、支持突起１５ｃへのＦＰＣホルダ２８の腕部２８ｄ、２８ｅへの挿入、及びＦＰＣホルダ２８の下端部２８ｆ、及びＦＰＣ２６の端子部２６ａの取付孔１３ａへの挿入が停止する。
このとき、弾性部２８ａの係止部２８ｃが支持突起１５ｃの折り曲げ部分に係合され、係止部２８ｃの弾性付勢する力（反作用）で、ＦＰＣホルダ２８の下端部２８ｆに取付けられた端子部２６ａが取付孔１３ａの縁部に隙間なく当接するように押圧されて、ＦＰＣホルダ２８全体が傾いて、固定される。
そのため、ＦＰＣ２６の端子部２６ａの各ラウンドと、プリント基板１３の回路パターン１３ｂとが所定の位置で当接する。
ＦＰＣホルダ２８をプリント基板１３の取付孔１３ａ内に係合した状態で、プリント基板１３の取付孔１３ａから出っ張った部分のＦＰＣ２６の端子部２６ａとプリント基板１３の回路パターン１３ｂとを半田４０にて接着することにより、端子部２６ａとプリント基板１３の回路パターン１３ｂとが電気的に導通するように接続して、このＦＰＣ２６の取付けが完了する。
【００２８】
このように構成されたＦＰＣ２６，２７の取付構造、及びそれを用いた記録再生装置１０は、一対の磁気ヘッド１６，１７を図２に示す記録ディスク１００の上下両面に接触させた状態で、ステッピングモータ１９の回転駆動力によって、キャリッジ１８を矢印Ａ方向に移動させる。この動作で、記録ディスク１００の半径方向に往復移動させながら、ターンテーブル１４の回転により記録ディスク１００を回転させて、記録ディスク１００の上下両面に情報の記録／再生あるいは消去等が行われる。
【００２９】
【発明の効果】
本発明のフレキシブルプリント基板の取付構造は、先端の一面に端子部を露出形成した端子形成部を有するフレキシブルプリント基板と、表面側に弾性部を有し、裏面側に前記端子形成部を取付け可能なＦＰＣホルダと、取付孔を有するプリント基板と、前記プリント基板の上方に配設され、前記プリント基板の前記取付孔に前記端子部を挿入するためのガイド孔を有するシャーシとを備え、前記シャーシに前記ガイド孔の縁部を切り起こした支持突部を設けて、前記端子形成部を取付けた前記ＦＰＣホルダを前記ガイド孔に挿入して、前記ＦＰＣホルダの前記弾性部を前記支持突部に弾接させ、前記ＦＰＣの前記端子部を前記プリント基板の前記取付孔の縁部に押し付けたことにより、ＦＰＣホルダの弾性部をシャーシの取付孔内の側壁に当接させてその反作用によって、ＦＰＣホルダがプリント基板の取付孔の片側に押圧させたので、フレキシブルプリント基板とプリント基板間の隙間による影響がなくなり、半田付けを容易に行うことができ、電気的な接続を確実に行うことができる。
【００３０】
さらに、弾性部は、ＦＰＣホルダの下端に抜け止め用の係合突起を設けたことにより、単にＦＰＣホルダをシャーシの一部にスナップ結合させて取付保持するのみで、抜け止め防止された状態で、プリント基板の一方にＦＰＣが付勢させて保持させることができるので、簡単に半田付けすることができる。
【００３１】
また、本発明の記録再生装置は、請求項１又は２記載のフレキシブルプリント基板の取付構造を用いたので、容易にプリント基板にＦＰＣホルダを介してＦＰＣを取り付けることができる。
【図面の簡単な説明】
【図１】本発明の一実施形態に係る記録再生装置の平面図である。
【図２】本発明の一実施形態に係る記録再生装置の要部拡大斜視図である。
【図３】本発明の一実施形態に係る記録再生装置において、ＦＰＣホルダの取付構造を示す要部分解斜視図である。
【図４】本発明の一実施形態に係る記録再生装置において、ＦＰＣホルダの上面図である。
【図５】図４に示すＦＰＣホルダの左側面図である。
【図６】図４に示すＦＰＣホルダの平面図である。
【図７】図４に示すＦＰＣホルダの下面図である。
【図８】図４に示すＦＰＣホルダの右側面図である。
【図９】図４に示すＦＰＣホルダの断面図である。
【図１０】本発明の一実施形態に係る記録再生装置において、ＦＰＣホルダの取付状態を示す断面図である。
【図１１】従来の記録再生装置の要部分解斜視図である。
【図１２】従来の記録再生装置の要部断面図である。
【図１３】提案された記録再生装置のＦＰＣの取付構造を説明する要部分解斜視図である。
【図１４】図１３に示す記録再生装置の要部断面図である。
【符号の説明】
１３  プリント基板
１３ａ  取付孔
１５  シャーシ
１５ａ、１５ｂ  ガイド孔
１５ｃ，１５ｅ  支持突部
２６，２７  ＦＰＣ
２６ａ，２７ａ  端子部
２６ｂ、２７ｂ  端子形成部
２８  ＦＰＣホルダ
２８ｃ  弾性部
【図１】
0003718086.tif 000002
【図２】
0003718086.tif 000003
【図３】
0003718086.tif 000004
【図４】
0003718086.tif 000005
【図５】
0003718086.tif 000006
【図６】
0003718086.tif 000007
【図７】
0003718086.tif 000008
【図８】
0003718086.tif 000009
【図９】
0003718086.tif 000010
【図１０】
0003718086.tif 000011
【図１１】
0003718086.tif 000012
【図１２】
0003718086.tif 000013
【図１３】
0003718086.tif 000014
【図１４】
0003718086.tif 000015